(57)【要約】【課題】情報提供元が情報要求元の位置に応じて対象の状況を示す情報を提供し、共有することを可能にする。【解決手段】ネットワーク４を介して接続されるシステム１Ａ〜システム１Ｃは、アプリケーション装置１１、処理装置１２および表示装置１３を備える。アプリケーション装置１１は、対象の位置を含む状況を検出するアプリケーションを実行し、検出した対象の位置を示すアプリケーション情報を生成する。処理装置１２は、アプリケーション装置１１からアプリケーション情報を取得して記憶する。処理装置１２は、他システムから情報要求を受信した場合に、該他システムの位置に基づく所定の条件を満たすアプリケーション情報を選択して該他システムに送信する。アプリケーション情報を受信した他システムは、少なくとも、受信したアプリケーション情報と自システムの位置と表示させる表示データを生成し、表示装置１３に表示させる。【選択図】図１
2014179726.tif 000002
【特許請求の範囲】
【請求項１】
ネットワークを介して接続する情報提供元システムおよび情報要求元システムで構成される情報共有システムであって、
前記情報提供元システムは、
対象の位置を含む状況を示すアプリケーション情報を取得するアプリケーション情報取得部と、
前記アプリケーション情報取得部が取得した前記アプリケーション情報および前記情報要求元システムの位置を示す情報要求元システム位置情報を記憶する第１記憶部と、
前記情報要求元システム位置情報を参照し、前記情報要求元システムの位置に基づく所定の条件を満たす前記アプリケーション情報を選択するアプリケーション管理部と、
前記アプリケーション管理部が選択した前記アプリケーション情報を前記情報要求元システムに送信するアプリケーション情報送信部と、
を備え、
前記情報要求元システムは、
前記情報要求元システム位置情報を記憶する第２記憶部と、
前記情報提供元システムから前記アプリケーション情報を受信するアプリケーション情報受信部と、
少なくとも、前記アプリケーション情報受信部が受信した前記アプリケーション情報と前記情報要求元システム位置情報と表示させる表示データを生成する表示データ生成部と、
前記表示データ生成部が生成した前記表示データを表示する表示部と、
を備える情報共有システム。
【請求項２】
前記情報提供元システムは、
前記情報要求元システムと通信可能な回線容量を算出する通信管理部をさらに備え、
前記アプリケーション情報送信部は、前記アプリケーション管理部が選択した前記アプリケーション情報の総量が前記回線容量を超える場合には、あらかじめ設定された優先順位の高い前記アプリケーション情報から順に選択して、前記回線容量を超えないように絞り込んで前記情報要求元システムに送信する請求項１に記載の情報共有システム。
【請求項３】
前記所定の条件は、前記情報要求元システムの位置および前記対象の状況に基づく条件である請求項１または２に記載の情報共有システム。
【請求項４】
前記情報要求元システムは、
前記情報要求元システムの位置を検出し、前記情報要求元システム位置情報を生成する位置検出部と、
前記位置検出部が生成した前記情報要求元システム位置情報を前記情報提供元システムに送信する位置送信部と、をさらに備え、
前記情報提供元システムは、
前記情報要求元システムから前記情報要求元システム位置情報を受信する位置受信部をさらに備え、
前記第１記憶部は、前記位置受信部が受信した前記情報要求元システム位置情報を記憶する請求項１ないし３のいずれか１項に記載の情報共有システム。
【請求項５】
前記情報要求元システムは、
前記アプリケーション情報を要求する情報要求を前記情報提供元システムに送信する情報要求送信部をさらに備え、
前記情報提供元システムは、
前記情報要求元システムから前記情報要求を受信する情報要求受信部をさらに備え、
前記アプリケーション管理部は、前記情報要求受信部が前記情報要求を受信すると、前記情報要求元システム位置情報を参照し、前記情報要求元システムの位置に基づく所定の条件を満たす前記アプリケーション情報を選択する請求項１ないし４のいずれか１項に記載の情報共有システム。
【請求項６】
前記アプリケーション管理部は、前記アプリケーション情報取得部が前記アプリケーション情報を取得するごとに、前記情報要求元システム位置情報を参照し、前記所定の条件を満たすか否かを判定し、前記所定の条件を満たす前記アプリケーション情報を選択する請求項１ないし５のいずれか１項に記載の情報共有システム。
【請求項７】
前記第２記憶部は、前記情報提供元システムの位置を示す前記情報提供元システム位置情報をさらに記憶し、
前記表示データ生成部は、少なくとも前記アプリケーション情報受信部が受信した前記アプリケーション情報と前記情報要求元システム位置情報と前記情報提供元システム位置情報とを表示させる表示データを生成する請求項１ないし６のいずれか１項に記載の情報共有システム。
【請求項８】
前記表示部は、前記ネットワークを介して前記情報要求元システムに接続される請求項１ないし７のいずれか１項に記載の情報共有システム。
【請求項９】
ネットワークを介して接続する情報提供元システムおよび情報要求元システムが実行する情報共有方法であって、
第１記憶部を備える前記情報提供元システムが実行する、
対象の位置を含む状況を示すアプリケーション情報を取得するアプリケーション情報取得ステップと、
前記アプリケーション情報取得ステップで取得した前記アプリケーション情報を記憶する記憶ステップと、
前記第１記憶部が記憶する前記情報要求元システムの位置を示す情報要求元システム位置情報を参照し、前記情報要求元システムの位置に基づく所定の条件を満たす前記アプリケーション情報を選択するアプリケーション管理ステップと、
前記アプリケーション管理ステップで選択した前記アプリケーション情報を前記情報要求元システムに送信するアプリケーション情報送信ステップと、
第２記憶部を備える前記情報要求元システムが実行する、
前記情報提供元システムから前記アプリケーション情報を受信するアプリケーション情報受信ステップと、
少なくとも、前記アプリケーション情報受信ステップで受信した前記アプリケーション情報と、前記第２記憶部が記憶する前記情報要求元システム位置情報と表示させる表示データを生成する表示データ生成ステップと、
前記表示データ生成ステップで生成した前記表示データを表示する表示ステップと、
を備える情報共有方法。
【請求項１０】
情報要求元システムにネットワークで接続されるコンピュータを、
対象の位置を含む状況を示すアプリケーション情報を取得するアプリケーション情報取得部、
前記アプリケーション情報取得部が取得した前記アプリケーション情報および前記情報要求元システムの位置を示す情報要求元システム位置情報を記憶する記憶部、
前記情報要求元システム位置情報を参照し、前記情報要求元システムの位置に基づく所定の条件を満たす前記アプリケーション情報を選択するアプリケーション管理部、および、
前記アプリケーション管理部が選択した前記アプリケーション情報を前記情報要求元システムに送信するアプリケーション情報送信部、
として機能させるプログラム。
【請求項１１】
情報提供元システムにネットワークで接続されるコンピュータを、
前記コンピュータの位置を示す情報要求元システム位置情報を記憶する記憶部、
前記情報提供元システムから、対象の位置を含む状況を示すアプリケーション情報を受信するアプリケーション情報受信部、
少なくとも、前記アプリケーション情報受信部が受信した前記アプリケーション情報と前記情報要求元システム位置情報と表示させる表示データを生成する表示データ生成部、および、
前記表示データ生成部が生成した前記表示データを表示する表示部、
として機能させるプログラム。
【発明の詳細な説明】
【技術分野】
【０００１】
本発明は、複数のシステム間で情報を共有する情報共有システム、情報共有方法およびプログラムに関する。
【背景技術】
【０００２】
一般的に複数のシステム間で情報を共有する情報共有システムでは、情報提供元が情報要求元からの情報要求に応じて情報を提供していた。
【０００３】
特許文献１には、回線状況を監視し、回線容量が狭帯域化した状況下での情報共有の技術が開示されている。
【先行技術文献】
【特許文献】
【０００４】
【特許文献１】特開２００９−１９４７６５号公報
【発明の概要】
【発明が解決しようとする課題】
【０００５】
しかし、特許文献１に記載の技術を用いても、情報要求元の位置を考慮した情報共有はできない。例えば、共有する情報が災害の情報や移動する部隊の情報など、対象の変化する状況を示す情報である場合、情報要求元との位置関係によって情報の重要性が異なる場合がある。
【０００６】
本発明は、上述のような事情に鑑みてなされたもので、情報提供元が情報要求元の位置に応じて、対象の状況を示す情報を提供し、共有することが可能な情報共有システムを提供することを目的とする。
【課題を解決するための手段】
【０００７】
上記目的を達成するため、本発明に係る情報共有システムは、ネットワークを介して接続する情報提供元システムおよび情報要求元システムで構成される。情報提供元システムは、対象の位置を含む状況を示すアプリケーション情報を取得するアプリケーション情報取得部と、アプリケーション情報取得部が取得したアプリケーション情報および情報要求元システムの位置を示す情報要求元システム位置情報を記憶する第１記憶部と、情報要求元システム位置情報を参照し、情報要求元システムの位置に基づく所定の条件を満たすアプリケーション情報を選択するアプリケーション管理部と、アプリケーション管理部が選択したアプリケーション情報を情報要求元システムに送信するアプリケーション情報送信部と、を備える。情報要求元システムは、情報要求元システム位置情報を記憶する第２記憶部と、情報提供元システムからアプリケーション情報を受信するアプリケーション情報受信部と、少なくとも、アプリケーション情報受信部が受信したアプリケーション情報と情報要求元システム位置情報と表示させる表示データを生成する表示データ生成部と、表示データ生成部が生成した表示データを表示する表示部と、を備える。
【発明の効果】
【０００８】
本発明によれば、情報提供元が情報要求元の位置に応じて対象の状況を示す情報を提供し、共有することが可能になる。
【図面の簡単な説明】
【０００９】
【図１】本発明の実施の形態１に係る情報共有システムの構成例を示すブロック図である。
【図２】実施の形態１に係る処理装置の機能構成例を示すブロック図である。
【図３】実施の形態１に係る表示データの一例を示す図である。
【図４】実施の形態１に係る表示装置が表示する表示画面の一例を示す図である。
【図５】実施の形態１に係る情報共有処理の動作の一例を示すフローチャートである。
【図６】実施の形態１に係る情報共有処理の動作の一例を示すフローチャートである。
【図７】本発明の実施の形態２に係る情報共有システムの構成例を示すブロック図である。
【図８】本発明の実施の形態に係る処理装置のハードウェア構成の一例を示すブロック図である。
【発明を実施するための形態】
【００１０】
以下に、本発明を実施するための形態について図面を参照して詳細に説明する。なお、図中同一または相当する部分には同じ符号を付す。
【００１１】
（実施の形態１）
図１は、本発明の実施の形態１に係る情報共有システムの構成例を示すブロック図である。実施の形態１の情報共有システム１００は、ネットワーク４で接続される３つのシステム１Ａとシステム１Ｂとシステム１Ｃとで構成される。システム１Ａとシステム１Ｂとシステム１Ｃはすべて同様の構成であり、以下、システム１Ａとシステム１Ｂとシステム１Ｃを総称してシステム１という。また、着目するシステム１を自システム、着目するシステム１以外を他システムという。
【００１２】
図１の例では、情報共有システム１００は、３つのシステムで構成されているが、本発明はこれに限らず、情報提供元のシステムと情報要求元のシステムとを少なくとも１以上含む２以上のシステムで構成されればよい。また、本実施の形態では、ネットワーク４は、狭帯域の無線回線とする。
【００１３】
システム１は、アプリケーション装置１１、処理装置１２および表示装置１３を備える。
【００１４】
アプリケーション装置１１は、対象の状況を検出するアプリケーションを実行し、検出した対象の状況を示すアプリケーション情報を生成する。アプリケーション装置１１は、生成したアプリケーション情報を処理装置１２に送信する。アプリケーション装置１１は、対象の状況を検出するセンサを備える装置である。
【００１５】
対象の状況とは、災害の発生場所や、移動する部隊の位置など、他システムとの間でその情報を共有する人やモノ、事象などの位置を含み、災害の規模や被災者の情報、部隊の現在地など、人やモノ、事象などが変化する状況を示す。
【００１６】
処理装置１２は、アプリケーション装置１１から受信したアプリケーション情報を記憶する。また、処理装置１２は、自システムの位置を示す自システム位置情報を記憶している。自システム位置情報は、ＧＰＳ受信機などで受信してもよい。
【００１７】
処理装置１２は、ユーザからの情報要求を取得する。ユーザから情報要求を取得すると、処理装置１２は、自システム位置情報と情報要求を他システムに送信する。処理装置１２は、他システムから情報要求に応答するアプリケーション情報を受信し、記憶する。処理装置１２は、少なくとも、アプリケーション情報と自システム位置情報とを表示する表示データを生成して表示装置１３に送信する。
【００１８】
表示装置１３は、処理装置１２から受信した表示データを表示する。例えば、表示装置１３は、ＣＲＴ（Cathode Ray Tube）やＬＣＤ（Liquid Crystal Display）などのディスプレイを備える装置である。
【００１９】
また、処理装置１２は、他システムから、該他システムの位置を示す他システム位置情報と情報要求とを受信した場合、記憶しているアプリケーション情報の中から、他システム位置情報を参照し、該他システムの位置に基づく所定の条件を満たすアプリケーション情報を選択する。処理装置１２は、選択したアプリケーション情報を該他システムに送信する。なお、ここでいう他システム位置情報は、該他システムにとっての自システム位置情報である。
【００２０】
本実施の形態では、ネットワーク４が狭帯域の無線回線であるので、処理装置１２は、情報要求元の他システムに提供するアプリケーション情報を選択する際、該他システムとの間の回線容量を算出し、これを考慮する。これにより、狭帯域接続しか使用できないような通信環境の場所でも使用可能となる。
【００２１】
他システムの位置を示す他システム位置情報は、処理装置１２があらかじめ記憶しておいてもよい。この場合、自システム位置情報を他システムに送信する処理が不要となる。
【００２２】
また、システム１は、アプリケーション装置１１、処理装置１２および表示装置１３をまとめて１つの装置で実現してもよい。また、システム１は、アプリケーション装置１１を備えず、外部からアプリケーション情報を取得してもよい。
【００２３】
図２は、実施の形態１に係る処理装置の機能構成例を示すブロック図である。処理装置１２は、送受信部１２１、アプリケーション管理部１２２、入力部１２３、通信管理部１２４、表示データ生成部１２５および記憶部１２６を備える。
【００２４】
アプリケーション管理部１２２は、アプリケーション装置１１からアプリケーション情報を受け取り、記憶部１２６に記憶させる。
【００２５】
入力部１２３は、ユーザからの情報要求を取得する。あるいは、入力部１２３は、ユーザからの情報要求の入力を受け付けてもよいし、外部から取得してもよい。入力部１２３は、取得した情報要求をアプリケーション管理部１２２に送る。システム１は、ユーザからの情報要求を取得すると、情報要求元として機能する。
【００２６】
アプリケーション管理部１２２は、入力部１２３から情報要求を受け取ると、記憶部１２６が記憶する自システム位置情報と情報要求を送受信部１２１に送る。送受信部１２１は、ネットワーク４を介して自システム位置情報と情報要求を他システムに送信し、他システムから情報要求に応答するアプリケーション情報を受信する。なお、システム１が所定のタイミングで自動的に自システム位置情報と情報要求を他システムに送信してもよい。この場合は、入力部１２３は不要である。
【００２７】
アプリケーション管理部１２２は、送受信部１２１が他システムから受信したアプリケーション情報を、記憶部１２６に記憶させる。
【００２８】
アプリケーション管理部１２２は、記憶部１２６が記憶するアプリケーション情報を表示させるために必要な各種の情報（以下、必要情報という）を記憶部１２６から読み出し、表示データ生成部１２５に送る。
【００２９】
表示データ生成部１２５は、アプリケーション管理部１２２から受け取った必要情報に基づいて表示データを生成し、表示装置１３に送信する。表示装置１３は、表示データ生成部１２５から受信した表示データを表示する。
【００３０】
送受信部１２１は、ネットワーク４を介して他システムから他システム位置情報および情報要求を受信する。送受信部１２１は、他システムから受信した他システム位置情報を記憶部１２６に記憶させ、情報要求をアプリケーション管理部１２２に送る。システム１は、他システムから情報要求を受信すると、情報提供元として機能する。
【００３１】
アプリケーション管理部１２２は、送受信部１２１から情報要求を受け取ると、通信管理部１２４に情報要求元の他システムとの回線容量の算出を指示する。
【００３２】
通信管理部１２４は、ネットワーク４の種別、回線状況、連接数、宛先などを管理しており、送受信部１２１の通信の諸元（種別、回線状況、宛先など）を設定する。また、通信管理部１２４は、アプリケーション管理部１２２からの指示により、ネットワーク４の種別、回線状況、連接数などの情報や、過去の通信履歴などから、他システムと通信可能な回線容量を算出する。
【００３３】
通信管理部１２４は、算出した回線容量を示す回線容量情報をアプリケーション管理部１２２に送る。通信管理部１２４は、算出した回線容量に基づいて、送受信部１２１の通信の諸元を設定する。
【００３４】
アプリケーション管理部１２２は、情報要求元の他システムの回線容量情報を受け取ると、記憶部１２６が記憶するアプリケーション情報の中から、記憶部１２６が記憶する他システム位置情報を参照し、該他システムの位置に基づく所定の条件を満たすアプリケーション情報を選択する。
【００３５】
例えば、アプリケーション管理部１２２は、該他システムの位置から所定の距離の範囲内の位置を示すアプリケーション情報を選択する。
【００３６】
所定の条件は、対象の状況に基づく条件を含んでもよい。例えば、アプリケーション情報が火災の発生場所と火災の規模を示す火災情報である場合、アプリケーション管理部１２２は、該他システムの位置から所定の距離の範囲内に発生し、火災の規模が所定の値以上の火災情報を選択する。他の例では、アプリケーション情報が竜巻の発生場所と竜巻の進行方向と速度を示す竜巻情報である場合、該他システムに被害を与える可能性がある竜巻情報を選択する。
【００３７】
アプリケーション管理部１２２は、選択したアプリケーション情報の総量が回線容量を超える場合には優先順位の高いアプリケーション情報から順に選択して、回線容量を超えないように絞り込む。ここでは、該他システムの位置に近いアプリケーション情報ほど優先順位が高いものとする。なお、優先順位は、対象の変化する状況に合わせて変更してもよい。
【００３８】
本実施の形態では、ネットワーク４が狭帯域の無線回線であるため、アプリケーション管理部１２２は、情報要求を受信した他システムとの回線容量の算出を通信管理部１２４に指示しているが、ネットワーク４が広帯域である場合には、回線容量の算出は不要な場合がある。
【００３９】
アプリケーション管理部１２２は選択したアプリケーション情報を記憶部１２６から読み出し、送受信部１２１に送る。送受信部１２１は、アプリケーション管理部１２２から受け取ったアプリケーション情報を通信管理部１２４に設定された通信の諸元で情報要求元の他システムに送信する。
【００４０】
以下、アプリケーション装置１１は災害を検出するアプリケーションを実行し、アプリケーション情報が災害の発生場所を含む災害の状況を示す災害情報である例について、図３および図４を用いて説明する。
【００４１】
図３は、実施の形態１に係る表示データの一例を示す図である。システム１Ａの処理装置１２の入力部１２３にユーザが災害情報を要求する情報要求を入力した場合、アプリケーション管理部１２２は、送受信部１２１にシステム１Ａの位置を示す自システム位置情報と情報要求を送り、システム１Ｂおよびシステム１Ｃに送信させる。
【００４２】
システム１Ｂおよびシステム１Ｃでは、システム１Ａの位置を示す他システム位置情報を参照し、システム１Ａの位置に基づく所定の条件を満たす災害情報を選択し、システム１Ａに送信する。アプリケーション管理部１２２は、送受信部１２１がシステム１Ｂおよびシステム１Ｃから受信した災害情報を、記憶部１２６に記憶させる。
【００４３】
アプリケーション管理部１２２は、記憶部１２６が記憶する災害情報を表示させるために必要な必要情報を記憶部１２６から読み出し、表示データ生成部１２５に送る。ここでは、災害情報を表示させるための必要情報は、自システムの位置を含む地図を示す地図情報、他システム位置情報、自システム位置情報および災害情報であることとする。
【００４４】
表示データ生成部１２５は、アプリケーション管理部１２２から受け取った地図情報、自システム位置情報、他システム位置情報および災害情報をそれぞれ表示するレイヤ１、レイヤ２、レイヤ３およびレイヤ４の４つのレイヤで構成される表示データを生成し、表示装置１３に送信する。
【００４５】
図３の例では、レイヤ１は地図情報、レイヤ２はシステム１Ａの位置を示す自システム位置情報、レイヤ３はシステム１Ｂおよびシステム１Ｃの位置を示す他システム位置情報、レイヤ４は災害情報を表示するレイヤである。
【００４６】
図４は、実施の形態１に係る表示装置が表示する表示画面の一例を示す図である。表示装置１３は、図３のような表示データを受信すると、レイヤ１の地図情報５と、レイヤ２の自システム位置情報６と、レイヤ３の他システム位置情報７と、レイヤ４の災害情報８とをオーバレイ表示する。
【００４７】
災害情報が、災害の規模などの情報を含む場合には、レイヤ４に併せて表示してもよい。
【００４８】
図４に示すように、他システム位置情報７を含む表示データを表示装置１３に表示させた場合、ユーザは自システムの位置と災害の発生場所との位置関係だけでなく、他システムの位置と災害の発生場所との位置関係も把握することができる。これにより、例えば、災害の発生場所に近い他システムに警告することなどが可能になる。
【００４９】
図５は、実施の形態１に係る情報共有処理の動作の一例を示すフローチャートである。図５に示す情報共有処理は、システム１が情報要求元として機能する場合の情報共有処理の一例である。情報共有処理は、例えば処理装置１２に電源が投入されると開始する。
【００５０】
処理装置１２の入力部１２３は、ユーザからの情報要求または外部からの情報要求を取得すると（ステップＳ１１；ＹＥＳ）、取得した情報要求をアプリケーション管理部１２２に送る。情報要求を取得しない場合（ステップＳ１１；ＮＯ）、入力部１２３は、ステップＳ１１を繰り返す。
【００５１】
アプリケーション管理部１２２は、入力部１２３から情報要求を受け取ると、記憶部１２６が記憶する自システム位置情報と情報要求を送受信部１２１に送る。送受信部１２１は、ネットワーク４を介して自システム位置情報と情報要求を他システムに送信する（ステップＳ１２）。送受信部１２１は、ネットワーク４を介して他システムから情報要求に応答するアプリケーション情報を受信する（ステップＳ１３）。
【００５２】
アプリケーション管理部１２２は、送受信部１２１が受信したアプリケーション情報を、記憶部１２６に記憶させる。アプリケーション管理部１２２は記憶部１２６が記憶するアプリケーション情報を表示させるための必要情報を記憶部１２６から読み出し（ステップＳ１４）、表示データ生成部１２５に送る。
【００５３】
表示データ生成部１２５は、アプリケーション管理部１２２から受け取った必要情報に基づいて、複数のレイヤで構成される表示データを生成し（ステップＳ１５）、表示データを表示装置１３に送信する（ステップＳ１６）。表示装置１３は、表示データ生成部１２５から受け取った表示データをオーバレイ表示する。
【００５４】
電源がＯＦＦになっていなければ（ステップＳ１７；ＮＯ）、処理はステップＳ１１に戻り、ステップＳ１１〜ステップＳ１７を繰り返す。電源がＯＦＦになると（ステップＳ１７；ＹＥＳ）、処理を終了する。
【００５５】
図６は、実施の形態１に係る情報共有処理の動作の一例を示すフローチャートである。図６に示す情報共有処理は、システム１が情報提供元として機能する場合の情報共有処理の一例である。情報共有処理は、例えば処理装置１２に電源が投入されると開始する。
【００５６】
処理装置１２の送受信部１２１は、他システムから情報要求を受信すると（ステップＳ２１；ＹＥＳ）、受信した情報要求をアプリケーション管理部１２２に送る。情報要求を受信しない場合（ステップＳ２１；ＮＯ）、送受信部１２１は、ステップＳ２１を繰り返す。
【００５７】
アプリケーション管理部１２２は、送受信部１２１から情報要求を受け取ると、通信管理部１２４に情報要求元の他システムとの回線容量の算出を指示する。通信管理部１２４は、アプリケーション管理部１２２からの指示により、該他システムと通信可能な回線容量を算出する（ステップＳ２２）。通信管理部１２４は、算出した回線容量を示す回線容量情報をアプリケーション管理部１２２に送る。このとき、通信管理部１２４は、算出した回線容量に基づいて、送受信部１２１の通信の諸元を設定する。
【００５８】
アプリケーション管理部１２２は、情報要求元の他システムの回線容量情報を受け取ると、記憶部１２６が記憶するアプリケーション情報の中から、記憶部１２６が記憶する他システム位置情報を参照し、該他システムの位置に基づく所定の条件を満たすアプリケーション情報を選択する（ステップＳ２３）。
【００５９】
選択したアプリケーション情報が回線容量を超えない場合には（ステップＳ２４；ＮＯ）、アプリケーション管理部１２２は、選択したアプリケーション情報を記憶部１２６から読み出して送受信部１２１に送り、情報要求元の他システムに送信させる（ステップＳ２６）。
【００６０】
選択したアプリケーション情報が回線容量を超える場合には（ステップＳ２４；ＹＥＳ）、アプリケーション管理部１２２は、優先順位の高いアプリケーション情報から順に選択して、回線容量を超えないように絞り込み（ステップＳ２５）、絞り込んだアプリケーション情報を記憶部１２６から読み出して送受信部１２１に送り、情報要求元の他システムに送信させる（ステップＳ２６）。
【００６１】
電源がＯＦＦになっていなければ（ステップＳ２７；ＮＯ）、処理はステップＳ２１に戻り、ステップＳ２１〜ステップＳ２７を繰り返す。電源がＯＦＦになると（ステップＳ２７；ＹＥＳ）、処理を終了する。
【００６２】
実施の形態１では、処理装置１２は、他システムから情報要求を受け取ると、記憶部１２６が記憶するアプリケーション情報から、該他システムの位置に基づく所定の条件を満たすアプリケーション情報を選択する。これに限らず、例えば、定期的に記憶部１２６が記憶するアプリケーション情報が他システムの位置に基づく所定の条件を満たすか否かを判定し、所定の条件を満たすアプリケーション情報があった場合に自動的に該他システムに送信する構成にしてもよい。あるいは、アプリケーション情報を取得するごとに他システムの位置に基づく所定の条件を満たすか否かを判定し、所定の条件を満たすアプリケーション情報であった場合に自動的に該他システムに送信する構成にしてもよい。これにより、他システムのユーザは、対象の状況の変化を随時把握することができる。
【００６３】
実施の形態１では、システム１は、情報提供元としての機能と情報要求元としての機能を両方備える。これに限らず、情報提供元と情報要求元を分ける構成にしてもよい。
【００６４】
以上説明したように実施の形態１の情報共有システム１００によれば、情報提供元が情報要求元の位置に応じて対象の状況を示す情報を提供し、共有することが可能になる。
【００６５】
（実施の形態２）
図７は、本発明の実施の形態２に係る情報共有システムの構成例を示すブロック図である。実施の形態２の情報共有システム２００では、実施の形態１の情報共有システム１００のシステム１に含まれていた表示装置１３がネットワーク４を介して外部接続されている。
【００６６】
また、図７の例では、表示装置１３は４つ記載しているが、これに限らず、表示装置１３は１つ以上であればよく、少なくともいずれかのシステム１と対応していればよい。表示装置１３は、例えば、ノートＰＣ、スマートフォンなどの可搬型または固定型端末で構成される。
【００６７】
システム１の通信管理部１２４は、対応する表示装置１３が複数台ある場合、複数台に同時に表示データを送信するためにマルチキャストなどの仕組みにより回線の圧迫を抑制する。
【００６８】
ユーザは情報要求を表示装置１３に入力し、表示装置１３は情報要求を対応するシステム１にネットワーク４を介して送信する。対応するシステム１の処理装置１２の入力部１２３は、ネットワーク４を介して表示装置１３からユーザからの情報要求を取得する。
【００６９】
実施の形態２のその他の構成は、実施の形態１と同様である。
【００７０】
また、表示装置１３が現在地を検出する手段を備え、情報要求元として機能してもよい。この場合、表示装置１３は、現在地を示す自システム位置情報および情報要求を情報提供元のシステム１に送信する。
【００７１】
以上説明したように実施の形態２の情報共有システム２００によれば、情報提供元が情報要求元の位置に応じて対象の状況を示す情報を提供し、共有することが可能になる。また、表示装置１３を、ネットワーク４を介して接続しているので、表示装置１３の設置場所を点在させたり、ユーザが表示装置１３を携帯したりすることで、ユーザがアプリケーション情報を確認できる範囲が広がる。
【００７２】
図８は、本発明の実施の形態に係る処理装置のハードウェア構成の一例を示すブロック図である。処理装置１２は、図８に示すように、制御部３１、主記憶部３２、外部記憶部３３、操作部３４、表示部３５、入出力部３６および送受信部３７を備える。主記憶部３２、外部記憶部３３、操作部３４、表示部３５、入出力部３６および送受信部３７はいずれも内部バス３０を介して制御部３１に接続されている。
【００７３】
制御部３１はＣＰＵ（Central Processing Unit）などから構成され、外部記憶部３３に記憶されている制御プログラム３９に従って、処理装置１２のアプリケーション管理部１２２、通信管理部１２４および表示データ生成部１２５の各処理を実行する。
【００７４】
主記憶部３２はＲＡＭ（Random-Access Memory）などから構成され、外部記憶部３３に記憶されている制御プログラム３９をロードし、制御部３１の作業領域として用いられる。
【００７５】
外部記憶部３３は、フラッシュメモリ、ハードディスク、ＤＶＤ−ＲＡＭ、ＤＶＤ−ＲＷなどの不揮発性メモリから構成され、処理装置１２の処理を制御部３１に行わせるためのプログラムをあらかじめ記憶し、また、制御部３１の指示に従って、このプログラムが記憶するデータを制御部３１に供給し、制御部３１から供給されたデータを記憶する。記憶部１２６は外部記憶部３３に構成される。
【００７６】
操作部３４はキーボードおよびマウスなどのポインティングデバイスなどと、キーボードおよびポインティングデバイスなどを内部バス３０に接続するインタフェース装置から構成されている。ユーザが処理装置１２に情報を入力する場合は、操作部３４を介して、入力された情報が制御部３１に供給される。操作部３４は、処理装置１２の入力部１２３として機能する。
【００７７】
表示部３５は、ＣＲＴまたはＬＣＤなどから構成されている。ユーザが処理装置１２に情報を入力する場合は、操作画面を表示する。システム１を１つの装置で実現する場合には、表示部３５は表示装置１３として機能してもよい。
【００７８】
入出力部３６は、シリアルインタフェースまたはパラレルインタフェースから構成されている。入出力部３６はアプリケーション装置１１および表示装置１３と接続する。入出力部３６は、処理装置１２のアプリケーション管理部１２２および表示データ生成部１２５として機能する。
【００７９】
送受信部３７は、ネットワークに接続する網終端装置または無線通信装置、およびそれらと接続するシリアルインタフェースまたはＬＡＮ（Local Area Network）インタフェースから構成されている。処理装置１２の送受信部１２１として機能する。
【００８０】
図２に示す処理装置１２の送受信部１２１、アプリケーション管理部１２２、入力部１２３、通信管理部１２４、表示データ生成部１２５、記憶部１２６の処理は、制御プログラム３９が、制御部３１、主記憶部３２、外部記憶部３３、操作部３４、表示部３５、入出力部３６および送受信部３７などを資源として用いて処理することによって実行する。
【００８１】
その他、前記のハードウェア構成やフローチャートは一例であり、任意に変更および修正が可能である。
【００８２】
制御部３１、主記憶部３２、外部記憶部３３、操作部３４、表示部３５、入出力部３６、送受信部３７、内部バス３０などから構成される処理装置１２の処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、当該コンピュータプログラムをコンピュータにインストールすることにより、前記の処理を実行する処理装置１２を構成してもよい。また、インターネットなどの通信ネットワーク上のサーバ装置が有する記憶装置に当該コンピュータプログラムを格納しておき、通常のコンピュータシステムがダウンロードなどすることで処理装置１２を構成してもよい。
【００８３】
また、処理装置１２の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００８４】
また、搬送波にコンピュータプログラムを重畳し、通信ネットワークを介して提供することも可能である。例えば、通信ネットワーク上の掲示板（BBS, Bulletin Board System）に前記コンピュータプログラムを掲示し、ネットワークを介して前記コンピュータプログラムを提供してもよい。そして、このコンピュータプログラムを起動し、ＯＳの制御下で、他のアプリケーションプログラムと同様に実行することにより、前記の処理を実行できるように構成してもよい。
【符号の説明】
【００８５】
１，１Ａ，１Ｂ，１Ｃ  システム、４  ネットワーク、５  地図情報、６  自システム位置情報、７  他システム位置情報、８  災害情報、１１  アプリケーション装置、１２  処理装置、１３  表示装置、３０  内部バス、３１  制御部、３２  主記憶部、３３  外部記憶部、３４  操作部、３５  表示部、３６  入出力部、３７  送受信部、３９  制御プログラム、１００，２００  情報共有システム、１２１  送受信部、１２２  アプリケーション管理部、１２３  入力部、１２４  通信管理部、１２５  表示データ生成部、１２６  記憶部。
【図１】
2014179726.tif 000003
【図２】
2014179726.tif 000004
【図３】
2014179726.tif 000005
【図４】
2014179726.tif 000006
【図５】
2014179726.tif 000007
【図６】
2014179726.tif 000008
【図７】
2014179726.tif 000009
【図８】
2014179726.tif 000010